(57)【要約】【課題】静止画像表示機能の利便性を向上する。【解決手段】テレビ受信装置は、静止画像表示モードを設定する操作モジュール２５及びお気に入りの静止画像を保持する不揮発性メモリ２６を備えている。静止画像表示モードにおいて、不揮発性メモリ２６から得られる静止画像を含むプレビュー画面を表示する映像信号が信号処理部１６で生成され、プレビュー画面に静止画像上に表示すべき表示項目の設定画像が付加されて表示され、操作モジュール２５からの入力に応じて表示項目が設定される。静止画像表示モードにおいては、グラフィック処理部１６が静止画像に表示項目を付加した映像信号を生成して静止画像を表示している。【選択図】図１
2010200268.tif 000002
【特許請求の範囲】
【請求項１】
静止画像表示モードを設定する操作モジュールと、
少なくとも１つの静止画像を保持する不揮発性メモリと、
前記静止画像表示モードにおいて、前記不揮発性メモリから得られる静止画像を含むプレビュー画面を表示する為の映像信号を生成する信号処理部と、
前記静止画像表示モードにおいて、前記プレビュー画面に前記静止画像とともに表示すべき表示項目の設定画像を付加し、前記操作モジュールからの入力に応じて前記表示項目を設定する表示設定部と、
を具備し、前記静止画像表示モードにおいて、前記信号処理部が前記静止画像上に前記表示項目を付加した映像信号を生成することを特徴とする表示システム。
【請求項２】
前記表示項目は、時計表示、カレンダ表示、天気表示及び占い表示の少なくとも1つを含むことを特徴とする請求項１に記載の表示システム。
【請求項３】
前記設定画像は、前記表示項目の表示位置、サイズ及び透過度を指定する表示設定画像を含み、この画面表示設定画像を参照する操作モジュールの入力に応じて前記表示項目が前記静止画像中に表示されることを特徴とする請求項２に記載の表示システム。
【請求項４】
前記不揮発性メモリは、デフォルトの静止画像を保持し、前記信号処理部は、このデフォルトの静止画像を含むプレビュー画面を表示する為の映像信号を生成することを特徴とする請求項１の表示システム。
【請求項５】
前記設定画像は、前記表示項目の非表示を指定する表示設定画像を含み、この画面表示設定画像を参照する操作モジュールの入力に応じて前記表示項目が前記静止画像中に非表示とされることを特徴とする請求項１に記載の表示システム。
【請求項６】
前記表示システムは、外部メモリを接続可能なコネクタ部を備え、
前記操作モジュールが静止画像選択モードを設定すると、前記表示設定部が前記コネクタ部への前記外部メモリの接続を検知し、この外部メモリ内に静止画像が保存されていることを検知し、前記操作モジュールからの選択入力に応答して前記外部メモリから前記不揮発性メモリに選択された静止画像を転送することを特徴とする請求項１に記載の表示システム。
【請求項７】
前記信号処理部は、放送信号から映像信号を生成し、前記操作モジュールは、前記映像信号に含まれるシーンにおける静止画像の獲得を指示する指示部を備え、前記静止画像選択部は、この指示部からの前記シーン静止画像の獲得に応答して前記獲得したシーン静止画像を前記不揮発性メモリに転送することを特徴とする請求項１の表示システム。
【請求項８】
静止画像表示モードにおいて、少なくとも静止画像を保持する不揮発性メモリから得られる静止画像を含むプレビュー画面を表示する為の映像信号を生成し、
前記プレビュー画面に前記静止画像とともに表示すべき表示項目の設定画像を付加し、外部入力に応じて前記表示項目を設定し、
前記静止画像表示モードにおいて、前記静止画像上に前記表示項目を付加した映像信号を生成して表示することを特徴とする表示方法。
【発明の詳細な説明】
【技術分野】
【０００１】
本発明は、静止画像をフォトフレームとして表示する表示システム及び表示方法に関する。
【背景技術】
【０００２】
近年、テレビ受信装置の多機能化が進み、フォトビューア機能を備えたテレビ受信装置が開発されている。このフォトビューア機能を備えたテレビ受信装置の一例として特許文献１がある。この特許文献１に開示されたテレビ受信装置は、ディジタルスチルカメラが接続可能であり、ディジタルスチルカメラが接続された状態で、或いは、そのカメラから取り出されたメモリが装着された状態でそのメモリに保持されるフォト画像をテレビ受信装置で閲覧することができる。
【０００３】
静止画の表示に関しては、フォトビューア機能に類似した機能として静止画を表示し続けるフォトフレーム機能が知られている。従来、このフォトフレーム機能をテレビ受信装置に予め与えることが提案されている。この提案に係るテレビ受信装置では、テレビジョン受像器の製造時に少なくとも１枚の静止画が予め内部メモリ内に格納され、必要に応じて静止画を呼び出し、フォトフレームとして表示することができる。
【先行技術文献】
【特許文献】
【０００４】
【特許文献１】特開平１１−２７５５０３号公報
【発明の概要】
【発明が解決しようとする課題】
【０００５】
近年、ユーザのテレビ受信装置に対する各種機能の向上に対する要望が高まり、フォトビューア機能に限らず、ユーザの嗜好に応じた静止画をフォトフレームとして表示することができることが要望されている。しかしながら、提案されたテレビジョン受像器では、製造者側で用意された静止画のみがフォトフレームとして表示されるに過ぎず、ユーザが独自にお好みの静止画を取り込んでフォトフレームとして表示する機能までも与えられていない問題があり、ユーザからのフォトフレーム機能の改善が望まれている。特に、フォトフレームの表示において、簡易にフォトフレームの設定を変更することができ、ユーザが必要とする情報をも表示することができることが要望されている。
【０００６】
本発明の目的は、フォトフレームのような静止画像を表示する表示機能の利便性を向上することができる表示システム及び表示方法を提供することにある。
【課題を解決するための手段】
【０００７】
本発明の第１観点によれば、
静止画像表示モードを設定する操作モジュールと、
少なくとも１つの静止画像を保持する不揮発性メモリと、
前記静止画像表示モードにおいて、前記不揮発性メモリから得られる静止画像を含むプレビュー画面を表示する為の映像信号を生成する信号処理部と、
前記静止画像表示モードにおいて、前記プレビュー画面に前記静止画像とともに表示すべき表示項目の設定画像を付加し、前記操作モジュールからの入力に応じて前記表示項目を設定する表示設定部と、
を具備し、前記静止画像表示モードにおいて、前記信号処理部が前記静止画像上に前記表示項目を付加した映像信号を生成することを特徴とする表示システムが提供される。
【０００８】
本発明の第２観点によれば、
静止画像表示モードにおいて、少なくとも１つの静止画像を保持する不揮発性メモリから得られる静止画像を含むプレビュー画面を表示する為の映像信号を生成し、
前記プレビュー画面に前記静止画像ともに表示すべき表示項目の設定画像を付加し、外部入力に応じて前記表示項目を設定し、
前記静止画像表示モードにおいて、前記静止画像上に前記表示項目を付加した映像信号を生成して表示することを特徴とする表示方法が提供される。
【発明の効果】
【０００９】
これら表示システム及び表示方法では、受信装置にフォトフレーム機能が与えられ、外部メモリから静止画像を受信装置内のメモリに消去可能に格納することができ、この静止画像をお好みのフォトフレーム画像として表示部(ディスプレイ）に表示することができる。特に、静止画像表示モードでは、フォトフレームで表示される静止画像に付加情報を付加することができ、ユーザフレンドリーな画面表示に従ってこの付加情報を設定することができる。付加情報は例えば時計、カレンダ、天気予報、占いなどが該当し、これらの基礎データは時刻情報、日付情報、天気情報、占い情報のテキストとして放送波やインターネット経由で取得することができる。また、独自の付加情報設定としては、例えば付加情報画像の位置、サイズ、透過度等を設定できる。このような付加情報画像がお気に入り静止画像に重ねられる場合、静止画像表示が長引いても、付加情報画像が静止画像表示に対する退屈さをユーザに感じさせることはなく、静止画像表示機能の利便性を向上することができる。
【００１０】
また、放送中の番組のあるシーンをも静止画像として受信装置内のメモリに取り込むことができ、同様にこの静止画像をもフォトフレーム画像として表示部(ディスプレイ）に表示することができる。従って、受信装置の表示機能の利便性を向上することが可能となる。また、受信装置内のメモリ内の静止画像は、ユーザフレンドリーな画面表示に従って選択或いは削除が可能であり、この観点からも受信装置の表示機能の利便性を向上することができる。
【図面の簡単な説明】
【００１１】
【図１】本発明の一実施形態に係るテレビ受信装置の構成を概略的に示すブロック図である。
【図２】図１に示すリモコンに設けられる様々な操作キーを示す図である。
【図３】図１に示すマイクロプロセッサにより行われるコマンド処理を示すフローチャートである。
【図４】（ａ）〜（ｅ）は、図３に示すコマンド処理で得られる表示画面の遷移を示す図である。
【図５】（ａ）〜（ｄ）は、図４に示すフォトフレーム設定画面で「フォト選択」を選択した場合に得られる表示画面の遷移を示す図である。
【図６】図１に示すＵＳＢコネクタ或いはカードコネクタに外部メモリが接続された際のマイクロプロセッサにおける外部メモリからフラッシュメモリへの静止画像の取り込み処理を示すフローチャートである。
【図７】図１に示すテレビ受信装置におけるスチル画像の取り込み処理を示すフローチャートである。
【図８】（ａ）〜（ｅ）は、図５に示すフォトフレーム設定画面で「フォト編集」を選択した場合に得られる表示画面の遷移を示す図である。
【図９】図１に示すマイクロプロセッサにおけるフラッシュメモリに登録された静止画像の削除処理を示すフローチャートである。
【図１０】図３に示す付加情報設定処理を詳しく示すフローチャートである。
【図１１】図５に示すフォトフレーム設定画面で「付加情報設定」を選択した場合に得られるプレビュー画面を示す図である。
【図１２】図３に示すフォトフレーム表示処理を示すフローチャートである。
【図１３】図１２に示す登録静止画像のフォトフレームを表示する処理を詳細に示すフローチャートである。
【図１４】図１０に示すアナログ時計画像合成処理を詳しく示すフローチャートである。
【図１５】図１０に示すカレンダ画像合成処理を詳しく示すフローチャートである。
【図１６】図１０に示す天気予報画像合成処理を詳しく示すフローチャートである。
【図１７】図１０に示すアナログ時計画像合成処理を詳しく示すフローチャートである。
【発明を実施するための形態】
【００１２】
以下、添付図面を参照して本発明の一実施形態に係るテレビ受信装置について説明する。
【００１３】
図１は、本発明の一実施形態に係るテレビ受信装置の構成を概略的に示している。このテレビ受信装置は、地上アナログ放送波、並びにＢＳ、ＣＳ及び地上デジタル放送波を受信可能であり、マイクロプロセッサ１０、デジタル用チューナ１１、アナログ用チューナ１２、デジタル用復調器１３、アナログ用復調器１４及びＴＳ復号器１５を備えている。
【００１４】
ＢＳ,ＣＳ及び地上デジタル放送波は、アンテナ１で受信され、この受信信号がデジタル用チューナ１１に供給される。同様に、地上アナログ放送波は、アンテナ１で受信され、この受信信号がアナログ用チューナ１２に供給される。デジタル用チューナ１１及びアナログ用チューナ１２は、フェーズロックドループ(ＰＬＬ)方式を採用し、マイクロプロセッサ１０の制御により中心周波数及び帯域幅等の受信パラメータを指定してそれぞれ所望の放送波を選局するために用いられる。
【００１５】
デジタル用チューナ１１で選局した放送波の受信信号は、例えば日本の場合にＯＦＤＭ(orthogonal frequency division multiplexing)方式のデジタル用復調器１３及びＴＳ復号器１５に順次供給され、これらでデジタル映像信号及び音声信号に復調及び復号される。アナログ用チューナ１２で選局された受信信号は、アナログ用復調器１４に供給され、ここでアナログ映像信号及び音声信号に復調される。
【００１６】
このテレビ受信装置は、更に、信号処理部１６、グラフィック処理部１７、ＯＳＤ(on screen display)信号生成部１８、映像処理部１９、ディスプレイ２０、音声処理部２１、スピーカ２２、操作パネル２３、赤外線受光部２４、リモコン２５、フラッシュメモリ２６、ＵＳＢ(Universal Serial Bus)コネクタ２７、カードコネクタ２８、及びネットワーク通信回路２９を備える。信号処理部１６は、ＴＳ復号器１５からのデジタル映像信号及び音声信号に対して選択的に所定のデジタル信号処理を施し、それぞれグラフィック処理部１７及び音声処理部２１に出力する。また、信号処理部１６は、アナログ用復調器１４からのアナログ映像信号及び音声信号を選択的にデジタル化し、このデジタル化された映像信号及び音声信号に対して所定のデジタル信号処理を施し、それぞれグラフィック処理部１７及び音声処理部２１に出力する。
【００１７】
グラフィック処理部１７は、信号処理部１６から出力されたデジタル映像信号にＯＳＤ信号生成部１８で生成されたＯＳＤ信号を選択的に重畳して出力する。映像処理部１９は、グラフィック処理部１７から出力されたデジタル映像信号に対してディスプレイ２０に適合させる例えばサイズ調整等の変換を行う。ディスプレイ２０は、映像処理部１９から出力された映像信号に対応する映像を表示する。音声処理部２１は、信号処理部１６から出力されたデジタル音声信号をスピーカ２２に適合させる音量調整等の変換を行う。スピーカ２２は、音声処理部２１から出力された音声信号に対応する音声を再生する。
【００１８】
マイクロプロセッサ１０は、操作パネル２３からの操作情報、またはリモコン２５から送出され赤外線受光部２４で受信された操作情報を受けて、その操作内容が反映されるように各コンポーネントを制御する。ここで、操作パネル或いはキーボード２３及びリモコン２５は、ユーザインタフェースとして機能する操作モジュールに相当している。図１に示すように、マイクロプロセッサ１０は、様々な処理及び制御を行うＣＰＵ(central processing unit）３１、このＣＰＵ３１の制御プログラム及び様々な初期データを保持するＲＯＭ(read only memory）３２、ＣＰＵ３１の入出力情報を一時的に格納する作業エリアを提供するＲＡＭ(random access memory）３３、Ｉ２Ｃバス等を介して各コンポーネントに対する設定情報及び制御情報を入出力するインタフェース３４、及び放送波やネットワーク経由で取得される時刻情報及び日付情報に従って補正される時計回路３５を含んでいる。
【００１９】
ＵＳＢコネクタ２７は、様々なＵＳＢ機器を接続するために設けられている。カードコネクタ２８は、様々なメディアカードを接続するために設けられている。また、ネットワーク通信回路２９は、インターネットに直接あるいはＬＡＮ(local area network)経由で接続されている。時刻情報を放送波から取得する場合は、アンテナ１で受信した信号から、また時刻情報，天気，占い等基礎データをネットワークから取得する場合は、ネットワーク通信回路２９から、それぞれマイクロプロセッサ１０に取り込まれる。
【００２０】
不揮発性メモリとしてのフラッシュメモリ２６には、予め製造側においてテレビ受信装置の出荷段階で少なくとも１つのフォト画像(プリインストール静止画像）及びこのフォト画像をフォトフレームとして表示するために利用される様々な登録情報が格納されている。後に説明されるように、ＵＳＢコネクタ２７、カードコネクタ２８或いはネットワーク通信回路２９を介してユーザが指定した静止画像をフォトフレーム静止画像としてフォトフレームに付加される付加情報の種別情報とともに取り込むことができる。この取り込まれた静止画像は、様々な登録情報としてこのフラッシュメモリ２６に格納される。また、この登録情報には、フォトフレームとして表示すべきお気に入りのフォトフレーム静止画像並びにフォトフレームに付加される付加情報の種別情報に限らず、各付加情報に対する設定情報及び画像素材情報を含んでいる。ここで、画像素材情報は、プリインストール登録情報としてフラッシュメモリ２６に予め登録されている。これら、様々な登録情報は、ＵＳＢコネクタ２７、カードコネクタ２８或いはネットワーク通信回路２９を介して取り込まれても良く、また、これらＵＳＢコネクタ２７、カードコネクタ２８或いはネットワーク通信回路２９を介して取り込まれて更新されても良い。
【００２１】
マイクロプロセッサ１０は、フォトビューア機能やフォトフレーム機能を実現するために、ＵＳＢコネクタ２７に接続されるＵＳＢメモリやカードコネクタ２８に接続されるメディアカードにファイルとして保持される１または複数のフォト画像を取り込み、信号処理部１６、グラフィック処理部１７、及び映像処理部１９での処理を経て各フォト画像をディスプレイ２０に表示させる制御を行えるように構成されている。フォトフレーム機能は、フォトフレームモードにおいて行われるテレビ受信装置の動作により実現される。フォトフレームモードでは、ユーザがＵＳＢメモリやフォト画像メディアカードに保持される１または複数のフォト画像からお気に入りフォト画像を例えばリモコン２５の操作或いは操作パネル２３の操作により選択し、マイクロプロセッサ１０がこのお気に入りフォト画像をフラッシュメモリ２６に登録する。この登録後において、マイクロプロセッサ１０は、お気に入りフォト画像をフォトフレームとしてディスプレイ２０に表示させ、さらに付加情報画像をフォトフレームに重ねて表示するためにＯＳＤ信号生成部１８等の制御を行う。ここで、マイクロプロセッサ１０、信号処理部１６、グラフィック処理部１７、ＯＳＤ信号生成部１８及び映像処理部１９は、フォトフレームモードにおいてフォトフレームに対する付加情報の基礎データを取得し、この基礎データに対応する付加情報を表すように付加情報画像を合成し、表示されたフォトフレームに付加情報画像を重ねる表示制御処理を独自の付加情報設定に従って行う表示制御モジュールを構成する。
【００２２】
図２は、リモコン２５に設けられる様々な操作キーを示す。ユーザは、メインメニューキー５０やクイックメニューキー５１の操作によりディスプレイ２０上に選択肢を表示させ、続いて上下左右の方向キー５２の操作により選択肢を選択し、決定キー５３の操作により選択結果を確定させる。また、戻るキー５４は画面を戻すために操作され、終了キー５５は、操作の終了通知として操作される。チャネルキー５６は、放送波の選択やフォトフレーム表示をキャンセルするために操作される。また、リモコン２５には、スチルキー５８が設けられ、放映中の動画像中でスチル画像(静止画像）として保存したい際にこのスチルキー５８が押されると、その場面でのスチル(静止画像）が内蔵のメモリ、例えば、ＲＡＭ３３に保存することができる。このＲＡＭ３３に保存した静止画像は、フォトフレームモードでお好み静止画像として選択することで、フラッシュメモリ２６に登録することができ、フォトフレーム表示に利用することができる。
【００２３】
図３は、マイクロプロセッサ１０により実行されるコマンド処理を示している。このコマンド処理は、操作パネル２３またはリモコン２５の操作時に操作情報として得られるコマンドに基づいて実行される。この図３を参照してコマンド処理の概要を説明する。
【００２４】
コマンド処理が開始されると、始めにメインメニューキー操作があるかブロックＢ１１でチェックされる。このメインメニューキー操作が検出されると、メインメニュー画面がブロックＢ１２で表示される。このメインメニュー画面は、例えば「機器選択」、「機器操作」、「録画設定」、「フォトビューア」、及び「フォトフレーム」のような機能の選択項目を含む。メインメニュー画面の表示後、ブロックＢ１３で「フォトフレーム」を選択したかチェックされる。「フォトフレーム」の選択が検出されなければ、他の機能処理がブロックＢ１４で行われ、再びブロックＢ１１に戻る。
【００２５】
ブロックＢ１３で「フォトフレーム」の選択されると、この選択でフォトフレームの選択を含むフォトフレームモード(静止画面選択モード）の設定として判断され、ブロックＢ１５でフォトフレーム設定画面が表示される。このフォトフレーム設定画面には、例えば、「フォト選択」、「フォト編集」、「付加情報設定」、「開始」、及び「リターン」のような選択項目が表示される。これら項目の選択操作はブロックＢ１６〜Ｂ２０でチェックされる。ここで、「フォト選択」では、後に説明されるように、外部メモリ内の静止画を表示して取り込むべき静止画を選択して選択した静止画を取り込むことができる。
【００２６】
「フォト編集」の選択操作がブロックＢ１７で検出されると、フォト編集処理がブロックＢ２２で行われる。「付加情報設定」の選択操作がブロックＢ１８で検出されると、付加情報設定処理がブロックＢ２３で行われる。ここで、付加情報は、例えば時計、カレンダ、天気予報、占いなどが該当し、これらの基礎データは、時刻情報、日付情報、天気情報、占い情報のテキストとして放送波やインターネット経由で取得することができる。この付加情報設定によって、フォトフレームにお気に入り静止画像に選択した付加情報を重ねて表示することができる。また、独自の付加情報設定としては、例えば付加情報画像の位置、サイズ、透過度等を設定できる。このような付加情報の設定に関しては、後に詳細に説明する。
【００２７】
また、ブロックＢ２１〜Ｂ２３の処理が完了すると、ブロックＢ１５に戻される。「リターン」の選択操作がブロックＢ２０で検出されると、ブロックＢ１１に戻される。
【００２８】
フォトフレーム表示の「開始」を選択する操作がブロックＢ１９で検出されると、フォトフレーム表示処理がブロックＢ２４で行われる。即ち、フォトフレーム表示モード（静止画像表示モード）が設定されてフォトフレームの表示が実施される。フォトフレーム表示では、フラッシュメモリから選択された静止画像のデータがマイクロプロセッサ１０を介して信号処理部１６に供給される。信号処理部１６は、静止画像のデータをフレーム信号に変換してグラフィック処理部１７に供給する。グラフィック処理部１７では、後に述べる付加情報が付加画像としフレーム信号に付加されて映像処理部１９に供給される。従って、付加情報が付加されたフォトフレームとして表示される。フォトフレーム表示処理が完了すると、自動パワーオフ時間が経過したかブロックＢ２５でチェックされる。自動パワーオフ時間の経過が検出された場合には、テレビ受信装置の電源オフ手続きがブロックＢ２６で実行される。コマンド処理は、この電源オフ手続きの実行後に終了する。他方、自動パワーオフ時間の経過がブロックＢ２５で検出されない場合には、ブロックＢ１１に戻される。
【００２９】
また、メインメニューキー操作がブロックＢ１１で検出されない場合には、クイックメニューキー操作があるかブロックＢ２７でチェックされる。このクイックメニューキー操作が検出されると、クイックメニュー画面がブロックＢ２９で表示される。このクイックメニュー画面は、例えば「機器選択」、「機器操作」、及び「フォトフレーム」のような機能の選択項目を含む。クイックメニュー画面の表示後、ブロックＢ３０で「フォトフレーム」を選択したかチェックされる。「フォトフレーム」の選択が検出されなければ、他のキー操作処理がブロックＢ２８で行われ、再びブロックＢ１１に戻る。「フォトフレーム」の選択が検出されると、これがフォトフレームモードの設定として判断され、フォトフレーム設定画面において「開始」の選択操作が検出された場合と同様に、フォトフレーム表示モード（静止画像表示モード）におけるフォトフレーム表示処理がブロックＢ２４で行われる。フォトフレーム表示処理が完了すると、自動パワーオフ時間が経過したかブロックＢ２５でチェックされる。自動パワーオフ時間の経過が検出された場合には、テレビ受信装置の電源オフ手続きがブロックＢ２６で実行される。コマンド処理はこの電源オフ手続きの実行後に終了する。他方、自動パワーオフ時間の経過がブロックＢ２５で検出されない場合には、ブロックＢ１１に戻る。
【００３０】
図４（ａ）〜（ｅ）は、図３に示すコマンド処理で得られる表示画面の遷移を示している。図４（ａ）に示されるように放送番組を視聴中にメインメニューキー操作をすると、図４（ｂ）に示されるようにメインメニュー画面が放送番組の映像に中央で重なるようにしてディスプレイ２０に表示される。ここで、「フォトフレーム」の選択操作をすると、図４（ｃ）に示されるようにフォトフレーム設定画面が放送番組の映像及びメインメニュー画面の代わりに表示される。このとき、フォトフレーム設定画面でフォトフレームの表示開始の操作を選択すると、図４（ｄ）に示されるようにフォトフレーム画像がフォトフレーム設定の結果に従って表示される。また、このフォトフレーム表示では、例えばアナログ時計のような付加情報画像がお気に入りフォト画像のフォトフレームに重ねて表示されている。ちなみに、フォトフレームは、ディスプレイ２０の表示画面全体を占有する。
【００３１】
また、図４（ａ）に示されるように放送番組を視聴中にクイックメニューキー操作をすると、図４（ｅ）に示されるようにクイックメインメニュー画面が放送番組の映像に左端付近で重なるようにしてディスプレイ２０に表示される。フォトフレーム設定が既に完了している場合には、「フォトフレーム」の表示を選択すると、図４（ｃ）に示されるフォトフレーム設定画面の表示が省略され、図４（ｄ）に示されるように速やかにフォトフレーム表示がフォトフレーム設定に従って行われる。尚、各表示画面は図４（ａ）〜（ｄ）に示すように戻るキー操作、終了キー操作、及びリターン操作のいずれかにより１つ前の画面に戻ることができる。チャネル番号キーであれば、放送番組の映像表示に戻る。
【００３２】
図５（ａ）〜（ｃ）は、図４（ｃ）に示すフォトフレーム設定画面上で「フォト選択」を選択してフォトフレーム用の静止画像を取り込む場合の表示画面の遷移を示している。図５（ａ）に示すように、フォトフレーム設定画面に表示される「フォト選択」(画面上では、"Photo Select")、フォト編集（画面上では、"Photo Edit"）及び付加情報設定（画面上では、"Setting"）から「フォト選択」を選択すると、「フォト選択」が開始される。このフォト選択では、始めに図６に示すように、フォト取り込みの為にブロックＢ１０１で外部メモリがＵＳＢコネクタ２７或いはカードコネクタ２８に接続されているかが検知される。外部メモリの接続が検知されない場合には、「外部メモリが接続されていません」の表示とともにフォト選択処理が終了される。従って、ユーザが外部メモリからのフォト選択を望む場合には、ＵＳＢコネクタ２７或いはカードコネクタ２８を介して外部メモリを接続し、再度、フォトフレーム設定画面上で「フォト選択」を選択することとなる。
【００３３】
ブロックＢ１０１で外部メモリがＵＳＢコネクタ２７或いはカードコネクタ２８に接続されているかが検知される場合には、ブロックＢ１０２で複数の外部メモリが複数のＵＳＢコネクタ２７及び又はカードコネクタ２８に装着されているかが検知される。複数の外部メモリがＵＳＢコネクタ２７及び又はカードコネクタ２８に装着されていることが検知される場合には、複数の外部メモリが装着された機器であるＵＳＢコネクタ２７及び又はカードコネクタ２８の名称が図５（ｂ）に示すように画面にリスト表示される。この接続機器のリスト表示で接続機器を選択すると、ブロックＢ１１１で選択された接続機器が選択される。接続機器が選択されると、ブロックＢ１１２で選択された接続機器に装着された外部メモリに静止画像が保存されているかが検知される。ここで、静止画像が保存されていない場合には、選択された外部機器に静止画像が保存されいない旨が表示されて非選択の他の外部機器を選択するかの問い合わせ画面が表示される。ブロックＢ１１３で非選択の他の外部機器を選択しない旨を選択したことが検知される場合には、「外部機器の選択がキャンセルされました。」の表示とともにフォト選択処理が終了される。ブロックＢ１１３で他の外部機器の選択が検知される場合には、ブロックＢ１１１に戻され、再び接続機器の選択が検出される。
【００３４】
ブロックＢ１１２で選択された接続機器に装着された外部メモリに静止画像が保存されていることが検知される場合には、「選択した機器からの画像の取り込み」の問い合わせ画面が表示される。この「画像の取り込み」の問い合わせ画面で「画像の取り込み」が選択されない場合には、他の外部機器を選択するかの問い合わせ画面が表示される。ブロックＢ１１３で他の外部機器を選択しない旨を選択したことが検知される場合には、「外部機器の選択がキャンセルされました。」の表示とともにフォト選択処理が終了される。ブロックＢ１１３で他の外部機器の選択が検知される場合には、ブロックＢ１１１に戻され、再び接続機器の選択が検出される。ブロックＢ１１３で「画像の取り込み」の問い合わせ画面で「画像の取り込み」が選択されたことが検知される場合には、図５（ｃ）に示すように外部メモリ、例えば、ＵＳＢメモリに収録されたフォト画像のリストがサムネル表示される。
【００３５】
また、ブロック１０２で単一の外部メモリがＵＳＢコネクタ２７或いはカードコネクタ２８に装着されていることが検知される場合には、ブロックＢ１０３で接続された外部メモリに静止画像が保存されているかが検知される。何ら、静止画像が保存されていない場合には、「外部メモリには、画像がありません」と表示されてフォト選択処理が終了される。従って、ユーザが外部メモリからのフォト選択を望む場合には、ＵＳＢコネクタ２７或いはカードコネクタ２８に新たな外部メモリを接続し、再度、フォトフレーム設定画面上で「フォト選択」を選択することとなる。
【００３６】
ブロックＢ１０３で接続された外部メモリに静止画像が保存されていることが検知されると、「画像の取り込み」の問い合わせ画面が表示される。この「画像の取り込み」の問い合わせ画面で「画像の取り込み」が選択されれない場合には、ブロックＢ１０４において、外部メモリからの静止画像の取り込みの選択が検出されず、外部機器からの画像の取り込みを選択しないとしてフォト選択処理が終了される。外部メモリからの静止画像の取り込みを選択した旨が検出される場合には、図５（ｃ）に示すように外部メモリ、例えば、ＵＳＢメモリに収録されたフォト画像のリストがサムネル表示される。
【００３７】
図５（ｃ）に示すサムネル表示で取り込みべき静止画像が選択されると、そのサムネル画像がアクティブで表示される。このアクティブとされた静止画像の取り込みの開始を選択すると、ブロックＢ１０６で画像の取り込み開始が検出されて静止画画像がフラッシュメモリ２６に転送されて格納される。ブロックＢ１０６で画像の取り込みが完了すると、図５（ｄ）に示されるように、その選択された静止画像が表示されるとともに画像の取り込みが完了しましたが表示される。この画面で終了が選択されると、図４（ｃ）に示されるような番組視聴中の通常の画面に戻されることとなる。
【００３８】
尚、上述した接続機器の選択画面やフォト画像の選択画面は図４（ａ）〜図５（ｄ）に示すように戻るキー操作またはリターン操作により１つ前の画面に戻ることができる。チャネル番号キーであれば、放送番組の映像表示に戻すことができる。
【００３９】
外部機器から静止画像を取り込む場合に限らず、放映中の放送シーンを静止画像として抽出してこの静止画像をお好みのフォトフレーム画像としてフラッシュメモリ２６に登録することができる。この放映中の放送シーンを静止画像として取り込む際には、図７に示すように放映中の放送シーンの取り込み動作が開始される。図２に示すリモコン２５のスチルボタン５８が押されると、図７に示されるブロックＢ１２１でそのスチルボタン５８が押されたことが検知されて放映中の動画像の１シーンが特定され、このシーンのフレーム信号が信号処理部１６から取り出されて一時的にＲＡＭ３３に格納される。この放送シーンの選択の際には、静止画像情報として放送シーンの番組名、放送チャネル及び日時が同時にシーン情報として取り込まれ、シーンのフレーム信号とともにＲＡＭ３３に一時記憶されることが好ましい。また、スチルボタン５８が押されたことに伴いそのシーンの１フレーム静止画像がディスプレイ２０に表示される。このシーンのフレーム静止画像をフラッシュメモリ２６に取り込んで登録する際には、再度、スチルボタン５８が押されるか、或いは、決定ボタン５３が押される。このスチルボタン５８或いは、決定ボタン５３が押されるたことがブロックＢ１２２で検知されると、その静止画像がシーン情報とともにＲＡＭ３３からフラッシュメモリ２６に転送されてブロックＢ１２３で保存登録される。この保存登録がブロックＢ１２３で検知されると、ＲＡＭ３３上のフレーム静止画像が消去されてその処理が終了される。また、ディスプレイ２０に表示された静止画像を登録しない際には、リモコン２５の戻るボタン５４が押される。従って、ディスプレイ２０上の静止画像がキャンセルされて放映中の場面に戻される。この戻るボタン５４でのキャンセルは、ブロックＢ１２４で検出されてフレーム静止画像のフラッシュメモリ２６への転送準備がキャンセルされるとともにＲＡＭ３３上のフレーム静止画像が消去されてその処理が終了される。
【００４０】
図８（ａ）〜（ｅ）は、図５（ａ）に示すフォトフレーム設定画面で「フォト編集」を選択した場合に得られる表示画面の遷移を示す。図８（ａ）に示されるフォトフレーム編集画面で、「フォト編集」(画面上では、"Photo Edit")を選択すると、図８（ｂ）に示されるようにフォトフレーム設定画面がフラッシュメモリ２６に保持されるお気に入りフォト画像が「回転」(画面上では、"Rotate")や「削除」(画面上では、"Delete")のような編集用の選択項目と共に表示される。例えば「回転」の選択操作をすると、図８（ｃ）に示されるようにフォト画像が「回転」の選択操作を行う毎に＋９０度ずつ回転される。
【００４１】
また、「削除」の選択操作をすると、この選択操作が検知されて図９のブロックＢ１３１に示されるように外部機器から取得された静止画像データがフラッシュメモリ２６中にあるかが検出される。この検出に伴いフラッシュメモリ２６中の外部機器から取得された静止画像が選択され、複数の静止画像がフラッシュメモリ２６中にある場合には、図５（ｃ）に示すようなサムネル形式で外部機器から取得された静止画像データが表示される。サムネル形式の表示で削除する静止画像が選択されると、その選択された静止画像が図８（ｄ）に示すように削除する選択画像として表示される。また、単一の静止画像がフラッシュメモリ２６中にある場合には、ブロックＢ１３２でその単一の静止画像データが選択されたと検知され、図８（ｄ）に示すように削除する静止画像データとして表示される。この確認画面上で削除を選択すると、この選択がブロックＢ１３２で検知されて画面上には削除してよいかが表示される。この表示で「Yes」を選択すると、ブロックＢ１３４でフラッシュメモリ２６中の選択画像を削除する。ブロックＢ１３３で「No」を選択すると、この削除が中止され、再び、ブロックＢ１３１における止画像データがフラッシュメモリ２６中にあるかが検出される。また、ブロックＢ１３１で戻るが検出されると、「削除」の選択操作が中止されてフォトフレーム設定画面に戻される。ブロックＢ１３４で外部機器から取得された静止画像データの全てが削除されると、図８（ｅ）に示されるように「Preinstalled Photo File」というメッセージのデフォルト画像がお気に入りフォト画像が未登録であることを通知するために表示される。
【００４２】
図１０は、図３に示す付加情報設定処理を詳しく示し、図１１は、図５（ａ）に示すフォトフレーム設定画面で「付加情報設定」を選択した場合に得られる表示画面を示している。この付加情報設定処理では、付加情報設定画面がブロックＢ４１で表示される。付加情報設定画面は、図１１に示すようにフォトフレームに選択した静止画像、例えば、家族の写真がプレビュー画面として表示され、また、フォトフレームに表示する項目として「時計表示設定」、「カレンダ表示設定」、「天気予報表示設定」、及び「占い表示設定」が表示され、更に、表示画面の設定項目として「画面表示設定」が表示されている。左右の方向キー５２を操作することにこれらの項目をアクティブとしてこれらの項目を指定し、決定キー５３を操作することにより指定された項目をオンに設定することができる。例えば、「時計表示設定」が指定されると、更に、アナログ時計及びデジタル時計での表示設定項目が表れ、一方を指定すると、アナログ時計或いはデジタル時計がフォトフレームのプレビュー画面に予め定められたデフォルトの領域、例えば、図１１に三角で表示された領域にデフォルトの表示で表示される。また、「カレンダ表示設定」が指定されると、予めＲＯＭ３２等に格納されているカレンダデータ、或いは、ネットワークを通信回路２９等を介して獲得され、ＲＡＭ３３に格納されたカレンダデータが呼び出され、フォトフレームのプレビュー画面に予め定められたデフォルトの領域、例えば、図１１に長方形で表示された領域にデフォルトの表示で表示される。更に、「天気予報表示設定」或いは「占い表示設定」の表示が指定されると、予めネットワークを通信回路２９等を介して獲得され、ＲＡＭ３３に格納された天気予報情報のデータ或いは占い情報のデータが呼び出され、フォトフレームのプレビュー画面に予め定められたデフォルトの領域、例えば、図１１に三角形で表示された領域にデフォルトの表示で表示される。プレビュー画面に表示されたこれらの表示は、設定項目を選定した後に決定キー５３の再操作によりオフすることができる。ディジタル放送波では、ディジタルテレビジョン信号中に天気予報情報のデータ或いは占い情報のデータが含まれていうことから、テレビジョン信号から天気予報情報のデータ或いは占い情報のデータが信号処理部１６で取り出され、これらのデータがＲＡＭ３３に格納されても良い。「天気予報表示設定」或いは「占い表示設定」では、この表示の指定で自動的にディジタルテレビジョン信号から天気予報情報のデータ或いは占い情報のデータが獲得され、或いは、ネットワークを通信回路２９等を介して天気予報情報のデータ或いは占い情報のデータが獲得が取り込まれ、ＲＡＭ３３に格納されるように設定される。
【００４３】
「画面表示設定」には、「自動パワーオフ時間指定」、デフォルトの表示位置を変更する「位置指定」、デフォルトの表示サイズを変更する「サイズ指定」、及びデフォルトの表示透過度を変更する「透過度指定」のような設定項目を含み、「画面表示設定」の指定で「自動パワーオフ時間指定」、「リターン」、「位置指定」、「サイズ指定」、及び「透過度指定」の項目が表示され、夫々上下の方向キー５２の操作によりこれらの項目を選択することができる。「位置指定」では、左右の方向キー５２の操作により、例えば、表示画面の「左上」、「右上」、「左下」、「右下」のうちのいずれかを指定することができ、いずれかの指定でプレビュー画面に表示された表示が指定された位置に表示され、プレビュー画面上で表示を確認することができる。また、「サイズ指定」では、左右の方向キー５２の操作により例えば「大」、「中」、「小」のうちのいずれかを指定することができ、いずれかの指定でプレビュー画面に表示された表示の大きさが変更される。「透過度指定」では、左右の方向キー５２の操作により例えば「高」、「中」、「低」のうちのいずれかを指定することができ、いずれかの指定でプレビュー画面に表示された表示の透過度、即ち、透明感の表示が変更される。。ちなみに、「位置指定」、「サイズ指定」、及び「透過度指定」はデフォルト状態で例えば「左上」、「中」、「小」にそれぞれ指定され、必要に応じて変更される。「自動パワーオフ時間指定」が指定されると「時」及び「分」が表示され、左右の方向キー５２の操作により「時」及び「分」を切り換え、上下の方向キー５２の操作により０〜２４という範囲の時間及び０〜６０という範囲の分を指定することができる。
【００４４】
図１１に示す付加情報設定画面の表示後、「付加情報選択」に関して「アナログ時計」、「デジタル時計」、「カレンダ」、「天気予報」、及び「占い」がそれぞれオンであるかブロックＢ４２〜Ｂ４６でチェックされ、さらに「自動パワーオフ時間指定」及び「リターン操作」に関してブロックＢ４７、Ｂ４８でチェックされる。これらの設定は、次に述べるようにフラッシュメモリ２６に登録される。
【００４５】
「アナログ時計」がオンであることがブロックＢ４２で検出されると、ブロックＢ４９が実行される。このブロックＢ４９では、アナログ時計が付加情報の選択結果（すなわち、種別情報）とされ、これがアナログ時計の位置、サイズ、及び透過度の指定値（すなわち、設定情報）と一緒にフラッシュメモリ２６に登録される。「デジタル時計」がオンであることがブロックＢ４３で検出されると、ブロックＢ５０が実行される。このブロックＢ５０では、デジタル時計が付加情報の選択結果とされ、これがデジタル時計の位置、サイズ、及び透過度の指定値と一緒にフラッシュメモリ２６に登録される。「カレンダ」がオンであることがブロックＢ４４で検出されると、ブロックＢ５１が実行される。このブロックＢ５１では、カレンダが付加情報の選択結果とされ、これがカレンダの位置、サイズ、及び透過度の指定値と一緒にフラッシュメモリ２６に登録される。「天気予報」がオンであることがブロックＢ４５で検出されると、ブロックＢ５２が実行される。このブロックＢ５２では、天気予報が付加情報の選択結果とされ、これが天気予報の位置、サイズ、及び透過度の指定値と一緒にフラッシュメモリ２６に登録される。「占い」がオンであることがブロックＢ４６で検出されると、ブロックＢ５３が実行される。このブロックＢ５３では、天気予報が付加情報の選択結果とされ、これが天気予報の位置、サイズ、及び透過度の指定値と一緒にフラッシュメモリ２６に登録される。
【００４６】
「自動パワーオフ時間指定」が選択されたことがブロックＢ４７で検出されると、ブロックＢ５４が実行される。このブロックＢ５４では、自動パワーオフ時間の指定結果がフラッシュメモリ２６に登録される。ブロックＢ４１〜Ｂ４８は「リターン」の操作の検出まで繰り返し実行される。付加情報設定処理は、「リターン」の操作の検出に伴って終了する。
【００４７】
図１２は、図３に示すフォトフレーム表示処理を詳しく示す。マイクロプロセッサ１０は信号処理部１６、グラフィック処理部１７、ＯＳＤ信号生成部１８、及び映像処理部１９に相当するフォト再生コンポーネントを制御対象としてこの表示処理を実行する。この表示処理では、フラッシュメモリ２６に登録されたお気に入りフォト画像がブロックＢ６１でフォトフレームとして持続的にディスプレイ２０に表示される。
【００４８】
ブロックＢ６１は、より詳細には、図１３に示されるように外部機器から取得された画像データがフラッシュメモリ２６に登録されているかが、ブロック１４１で検知される。ブロック１４１で外部機器から取得された画像データが登録画像として登録されていない場合には、ブロック１４２で予め製造者側で登録されたプリインスツール画像が検出されて表示されて処理が終了される。ブロック１４１で外部機器から取得された画像データが登録画像として登録されている場合には、選択可能な登録画像を表示する選択画面がサムネル形式等で表示される。この選択画面で登録画像が選択されたことがブロック１４３で検出されると、ブロック１４４でその選択画像が表示される。この画面で確認を選択すると、フォト画像がフォトフレームとして持続的にディスプレイ２０に表示される。
【００４９】
次に、図１２に示すブロックＢ６２では、上述のフォトフレームに対する付加情報があるかチェックされる。付加情報があることが検出されると、「アナログ時計」、「デジタル時計」、「カレンダ」、「天気予報」、及び「占い」がオンであるか、それぞれブロックＢ６３〜Ｂ６７でチェックされる。「アナログ時計」がオンであることがブロックＢ６３で検出されると、アナログ時計画像合成処理がブロックＢ６８で行われる。「デジタル時計」がオンであることがブロックＢ６４で検出されると、デジタル時計画像合成処理がブロックＢ６９で行われる。「カレンダ」がオンであることがブロックＢ６５で検出されると、カレンダ画像合成処理がブロックＢ７０で行われる。「天気予報」がオンであることがブロックＢ６６で検出されると、天気予報画像合成処理がブロックＢ７１で行われる。「占い」がオンであることがブロックＢ６７で検出されると、占い画像合成処理がブロックＢ７１で行われる。
【００５０】
付加情報が無いことがブロックＢ６２で検出された場合、及びフォトフレームに付加すべき全ての付加情報に関する画像合成処理の終了が検出された場合、フォト画像や付加情報画像がブロックＢ７３でディスプレイ２０の特性に依存して焼き付きを防止するために決定される基準時間を越えて表示されたかチェックされる。もしこの基準時間を越えていることが検出されれば、画像の表示位置がブロックＢ７４で所定ルールで僅かに変更される。このフォトフレーム表示処理はブロックＢ７４の実行後、または基準時間を越えていないことがブロックＢ７３で検出された後に終了する。
【００５１】
図１４は図１２に示すアナログ時計画像合成処理を詳しく示す。この画像合成処理では、放送波経由で時刻情報を取得できたかブロックＢ１１１でチェックされ、さらにネットワーク経由で時刻情報を取得できたかブロックＢ１１２でチェックされる。ブロックＢ１１１またはＢ１１２のいずれかで時刻情報（すなわち、付加情報の基礎データ）を取得できたことを検出した場合に、ブロックＢ１１３が実行される。このブロックＢ１１３では、付加情報設定処理で登録された指定位置、指定サイズ、指定透過度の設定情報をアナログ時計の画像素材情報と一緒にフラッシュメモリ２６から取得する。これに続くブロックＢ１１４では、フォトフレームに指定位置で重なる指定サイズ及び指定透過度のアナログ時計画像を合成して表示する。このアナログ時計画像は取得した時刻情報（現在時刻の時分）対応するアナログ時計（付加情報）を表すように画像素材情報から合成される。他方、ブロックＢ１１１及びＢ１１２で時刻情報を取得できなかったことを検出した場合には、ブロックＢ１１５が実行される。ブロックＢ１１５では、時計表示不可の通知を一時的に表示する。アナログ時計画像合成処理はこのブロックＢ１１４またはＢ１１５の実行後に終了する。但し、フォトフレーム表示は、例えばリモコン２５のチャネルキー５６が操作されない限り継続する。ここで、表示時刻は時計回路３５に従って１分単位に更新される。
【００５２】
尚、デジタル時計画像合成処理は、アナログ時計の画像素材情報がデジタル時計の画像素材情報に変更されることを除いて上述のアナログ時計画像合成処理と同様である。
【００５３】
図１５は図１２に示すカレンダ画像合成処理を詳しく示す。この画像合成処理では、放送波経由で日付情報を取得できたかブロックＢ１２１でチェックされ、さらにネットワーク経由で日付情報を取得できたかブロックＢ１２２でチェックされる。ブロックＢ１２１またはＢ１２２のいずれかで日付情報（すなわち、付加情報の基礎データ）を取得できたことを検出した場合に、ブロックＢ１２３が実行される。このブロックＢ１２３では、付加情報設定処理で登録された指定位置、指定サイズ、指定透過度の設定情報をカレンダの画像素材情報と一緒にフラッシュメモリ２６から取得する。これに続くブロックＢ１２４では、フォトフレームに指定位置で重なる指定サイズ及び指定透過度のカレンダ画像を合成して表示する。このカレンダ画像は取得した日付情報（現在日付の年月日）に対応するカレンダ（付加情報）を表すように画像素材情報から合成される。続くブロックＢ１２５では、ネットワーク経由で祝日情報が取得できたかチェックくされる。ここで、祝日情報が取得できたことを検出した場合には、ブロックＢ１２６でカレンダの土曜日、日曜日、及び祝日がこの祝日情報に基づいて平日に対して区別できる表示色に変更される。他方、ブロックＢ１２１及びＢ１２２で日付情報を取得できなかったことを検出した場合には、ブロックＢ１２７が実行される。ブロックＢ１２７では、カレンダ表示不可の通知を一時的に表示する。カレンダ画像合成処理は、このブロックＢ１２６またはＢ１２７の実行後、あるいはブロックＢ１２５で祝日情報が取得できなかったことを検出した場合に終了する。但し、フォトフレーム表示は、例えばリモコン２５のチャネルキー５６が操作されない限り継続する。ここで、表示日付は時計回路３５に従って１日単位に更新される。
【００５４】
図１６は図１２に示す天気予報画像合成処理を詳しく示す。この画像合成処理では、放送波経由で天気情報を取得できたかブロックＢ１３１でチェックされ、さらにネットワーク経由で天気情報を取得できたかブロックＢ１３２でチェックされる。ブロックＢ１３１またはＢ１３２のいずれかで天気情報（すなわち、付加情報の基礎データ）を取得できたことを検出した場合に、ブロックＢ１３３が実行される。このブロックＢ１３３では、付加情報設定処理で登録された指定位置、指定サイズ、指定透過度の設定情報を天気予報の画像素材情報と一緒にフラッシュメモリ２６から取得する。これに続くブロックＢ１３４では、フォトフレームに指定位置で重なる指定サイズ及び指定透過度の天気予報画像を合成して表示する。この天気予報画像は取得した天気情報に対応する天気予報（付加情報）を表すように画像素材情報から合成される。この場合、天気画像は晴れ、雨、曇り等の記号であってよい。他方、ブロックＢ１３１及びＢ１３２で天気情報を取得できなかったことを検出した場合には、ブロックＢ１３５が実行される。ブロックＢ１３５では、天気予報表示不可の通知を一時的に表示する。天気予報画像合成処理はこのブロックＢ１３４またはＢ１３５の実行後に終了する。但し、フォトフレーム表示は、例えばリモコン２５のチャネルキー５６が操作されない限り継続する。
【００５５】
図１７は図１２に示す占い画像合成処理を詳しく示す。この画像合成処理では、放送波経由で占い情報を取得できたかブロックＢ１１１でチェックされ、さらにネットワーク経由で占い情報を取得できたかブロックＢ１１２でチェックされる。ブロックＢ１１１またはＢ１１２のいずれかで占い情報（すなわち、付加情報の基礎データ）を取得できたことを検出した場合に、ブロックＢ１１３が実行される。このブロックＢ１１３では、付加情報設定処理で登録された指定位置、指定サイズ、指定透過度の設定情報を占いの画像素材情報と一緒にフラッシュメモリ２６から取得する。これに続くブロックＢ１１４では、フォトフレームに指定位置で重なる指定サイズ及び指定透過度の占い画像を合成して表示する。この占い画像は取得した占い情報に対応する占い（付加情報）を表すように画像素材情報から合成される。この場合、占い画像は大吉、吉、凶などの占い記号でよい。他方、ブロックＢ１１１及びＢ１１２で占い情報を取得できなかったことを検出した場合には、ブロックＢ１１５が実行される。ブロックＢ１１５では、占い表示不可の通知を一時的に表示する。占い画像合成処理はこのブロックＢ１１４またはＢ１１５の実行後に終了する。但し、フォトフレーム表示は、例えばリモコン２５のチャネルキー５６が操作されない限り継続する。
【００５６】
上述の実施形態に係るテレビ受信装置によれば、フォトフレーム表示を行う表示システムを構成できる。即ち、受信装置にフォトフレーム機能が与えられ、外部メモリから静止画像を受信装置内のメモリに消去可能に格納することができ、この静止画像をお好みのフォトフレーム画像として表示部(ディスプレイ）に表示することができる。また、放送中の番組のあるシーンをも静止画像として受信装置内のメモリに取り込むことができ、同様にこの静止画像をもフォトフレーム画像として表示部(ディスプレイ）に表示することができる。従って、受信装置の表示機能の利便性を向上することが可能となる。また、受信装置内のメモリ内の静止画像は、ユーザフレンドリーな画面表示に従って選択或いは削除が可能であり、この観点からも受信装置の表示機能の利便性を向上することができる。
【００５７】
この表示システムでは、フォトフレームモードが設定された場合に、不揮発性メモリに保持されるお気に入りフォト画像がフォトフレームとして表示され、画像表示処理がこのフォトフレームに対する付加情報の基礎データを取得し、この基礎データに対応する付加情報を表すように付加情報画像を合成し、表示されたフォトフレームに付加情報画像を重ねるために独自の付加情報設定に従って行われる。付加情報は例えば時計、カレンダ、天気予報、占いなどでよく、これらの基礎データは時刻情報、日付情報、天気情報、占い情報のテキストとして放送波やインターネット経由で取得可能である。また、独自の付加情報設定としては、例えば付加情報画像の位置、サイズ、透過度等を設定できる。このような付加情報画像がフォトフレームに重ねられる場合、フォトフレーム表示が長引いても、付加情報画像がフォトフレーム表示に対する退屈さをユーザに感じさせなくし、フォトフレーム機能の利便性を向上することができる。
【００５８】
尚、本発明は上述の実施形態に限定されず、様々に変形することも可能である。
【００５９】
上述の実施形態では、テレビ受信装置に関して説明しているが、テレビ受信装置に限らず、ディスプレイを備えず、テレビ受信装置に接続される受信装置、例えば、ＢＳ・ＣＳ用受信装置或いはケーブルテレビ用受信装置(所謂セットボックス）で上記実施の形態が実現されても良いことは明らかである。
【００６０】
また、上述の実施形態では、「アナログ時計」、「デジタル時計」、「カレンダ」、「天気予報」、及び「占い」が付加情報として選択的にオンされたが、これら付加情報を他の付加情報に置換えてもよい。
【００６１】
また、リモコン２５のような操作モジュールによって選択される種別の付加情報の組み合わせを表すように付加情報画像を合成してフォトフレームに重ねられたが、予め決められた単一の付加情報のみをフォトフレームに重ねられてもよい。
【００６２】
また、上述の実施形態では、フラッシュメモリ２６に予めフ登録された付加情報別の画像素材情報を変更できなかったが、各付加情報に対して冗長的に画像素材情報を予め登録し、付加情報設定の一部としてユーザにより任意に組み合わされる画像素材情報から付加情報画像を合成してもよい。
【００６３】
また、上述の実施形態では、フラッシュメモリ２６を不揮発性メモリとして用いたが、例えばテレビ受信装置に録画用に接続されるハードディスクをこの不揮発性メモリとして用いてもよい。
【００６４】
また、複数のお気に入りフォト画像がフラッシュメモリ２６に登録された場合に、これらフォト画像をスライドショー形式のフォトフレームとして表示したが、フラッシュメモリ２６に登録された複数のフォト画像のうちのいずれか１つをさらに特定し、特定のフォト画像のみをフォトフレームとして表示してもよい。
【００６５】
さらに、ここで述べたシステムの様々なモジュールは、ソフトウェアアプリケーション、ハードウェア及び／またはソフトウェアモジュール、もしくはサーバのような１以上のコンピュータ上のコンポーネンツで実現可能である。これら様々なモジュールは別々に記載されている一方で、基礎となるロジックやコードの全てあるいは一部に配分されてもよい。
【符号の説明】
【００６６】
１０…マイクロプロセッサ、１６…信号処理部、１７…グラフィック処理部、１８…ＯＳＤ信号生成部、１９…映像処理部、２０…ディスプレイ、２３…操作パネル、２４…赤外線受光部、２５…リモコン、２６…フラッシュメモリ、２９…ネットワーク通信回路、５０…メインメニューキー、５１…クイックメニューキー、５２…方向キー、５３…決定キー、５４…「戻る」キー、５５…「終了」キー、５６…チャネルキー、５８…スチルキー
【図１】
2010200268.tif 000003
【図２】
2010200268.tif 000004
【図３】
2010200268.tif 000005
【図４】
2010200268.tif 000006
【図５】
2010200268.tif 000007
【図６】
2010200268.tif 000008
【図７】
2010200268.tif 000009
【図８】
2010200268.tif 000010
【図９】
2010200268.tif 000011
【図１０】
2010200268.tif 000012
【図１１】
2010200268.tif 000013
【図１２】
2010200268.tif 000014
【図１３】
2010200268.tif 000015
【図１４】
2010200268.tif 000016
【図１５】
2010200268.tif 000017
【図１６】
2010200268.tif 000018
【図１７】
2010200268.tif 000019
【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
放送波を受信する放送波受信部と、
前記放送波を選局するチャネル操作部及び静止画像を表示する静止画像表示モードを設定する設定部を備える操作モジュールと、
少なくとも１つの静止画像を保持する不揮発性メモリと、
前記チャネル操作部で選局された前記放送波の映像信号を生成し、前記静止画像表示モードにおいて、前記不揮発性メモリから得られる静止画像或いはこの静止画像を含むプレビュー画面を表示する静止画像の映像信号を生成する信号処理部と、
前記静止画像表示モードにおいて、前記操作モジュールからの入力に応じて前記プレビュー画面に前記静止画像とともに表示すべき表示項目を設定し、この表示項目を付加した静止画像の映像信号を前記信号処理部に生成させる表示設定部であって、前記静止画像表示モードにおける前記チャネル操作部の選局に応答して前記静止画像の表示を前記放送波の映像信号による表示に切り替える表示設定部と、
を具備することを特徴とする表示システム。
【請求項２】
前記表示項目は、時計表示、カレンダ表示、天気表示及び占い表示の少なくとも1つを含むことを特徴とする請求項１に記載の表示システム。
【請求項３】
前記設定画像は、前記表示項目の表示位置、サイズ及び透過度を指定する表示設定画像を含み、この画面表示設定画像を参照する操作モジュールの入力に応じて前記表示項目が前記静止画像中に表示されることを特徴とする請求項２に記載の表示システム。
【請求項４】
前記不揮発性メモリは、デフォルトの静止画像を保持し、前記信号処理部は、このデフォルトの静止画像を含むプレビュー画面を表示する為の映像信号を生成することを特徴とする請求項１の表示システム。
【請求項５】
前記設定画像は、前記表示項目の非表示を指定する表示設定画像を含み、この画面表示設定画像を参照する操作モジュールの入力に応じて前記表示項目が前記静止画像中に非表示とされることを特徴とする請求項１に記載の表示システム。
【請求項６】
前記表示システムは、外部メモリを接続可能なコネクタ部を備え、
前記操作モジュールが静止画像選択モードを設定すると、前記表示設定部が前記コネクタ部への前記外部メモリの接続を検知し、この外部メモリ内に静止画像が保存されていることを検知し、前記操作モジュールからの選択入力に応答して前記外部メモリから前記不揮発性メモリに選択された静止画像を転送することを特徴とする請求項１に記載の表示システム。
【請求項７】
前記信号処理部は、放送信号から映像信号を生成し、前記操作モジュールは、前記映像信号に含まれるシーンにおける静止画像の獲得を指示する指示部を備え、前記静止画像選択部は、この指示部からの前記シーン静止画像の獲得に応答して前記獲得したシーン静止画像を前記不揮発性メモリに転送することを特徴とする請求項１の表示システム。
【請求項８】
静止画像表示モードにおいて、少なくとも静止画像を保持する不揮発性メモリから得られる静止画像を含むプレビュー画面を表示する為の映像信号を生成し、
前記プレビュー画面に前記静止画像とともに表示すべき表示項目の設定画像を付加し、外部入力に応じて前記表示項目を設定し、
前記静止画像表示モードにおいて、前記静止画像上に前記表示項目を付加した静止画像の映像信号を生成し及び選局した放送波の映像信号を生成して表示する表示方法において、
放送波を選局するチャネル操作に応答して前記静止画像の表示が前記放送波の映像信号による表示に切り替えられることを特徴とする表示方法。
【請求項９】
前記表示項目は、時計表示、カレンダ表示、天気表示及び占い表示の少なくとも1つを含むことを特徴とする請求項８に記載の表示システム。
【手続補正書】
【提出日】平成22年5月17日(2010.5.17)
【手続補正１】
【補正対象書類名】明細書
【補正対象項目名】００５１
【補正方法】変更
【補正の内容】
【００５１】
図１４は図１２に示すアナログ時計画像合成処理を詳しく示す。この画像合成処理では、放送波経由で時刻情報を取得できたかブロックＢ８１でチェックされ、さらにネットワーク経由で時刻情報を取得できたかブロックＢ８２でチェックされる。ブロックＢ８１またはＢ８２のいずれかで時刻情報（すなわち、付加情報の基礎データ）を取得できたことを検出した場合に、ブロックＢ８３が実行される。このブロックＢ８３では、付加情報設定処理で登録された指定位置、指定サイズ、指定透過度の設定情報をアナログ時計の画像素材情報と一緒にフラッシュメモリ２６から取得する。これに続くブロックＢ８４では、フォトフレームに指定位置で重なる指定サイズ及び指定透過度のアナログ時計画像を合成して表示する。このアナログ時計画像は取得した時刻情報（現在時刻の時分）対応するアナログ時計（付加情報）を表すように画像素材情報から合成される。他方、ブロックＢ８１及びＢ８２で時刻情報を取得できなかったことを検出した場合には、ブロックＢ８５が実行される。ブロックＢ１１５では、時計表示不可の通知を一時的に表示する。アナログ時計画像合成処理はこのブロックＢ８４またはＢ８５の実行後に終了する。但し、フォトフレーム表示は、例えばリモコン２５のチャネルキー５６が操作されない限り継続する。ここで、表示時刻は時計回路３５に従って１分単位に更新される。
【手続補正２】
【補正対象書類名】明細書
【補正対象項目名】００５３
【補正方法】変更
【補正の内容】
【００５３】
図１５は図１２に示すカレンダ画像合成処理を詳しく示す。この画像合成処理では、放送波経由で日付情報を取得できたかブロックＢ９１でチェックされ、さらにネットワーク経由で日付情報を取得できたかブロックＢ９２でチェックされる。ブロックＢ９１またはＢ９２のいずれかで日付情報（すなわち、付加情報の基礎データ）を取得できたことを検出した場合に、ブロックＢ９３が実行される。このブロックＢ９３では、付加情報設定処理で登録された指定位置、指定サイズ、指定透過度の設定情報をカレンダの画像素材情報と一緒にフラッシュメモリ２６から取得する。これに続くブロックＢ９４では、フォトフレームに指定位置で重なる指定サイズ及び指定透過度のカレンダ画像を合成して表示する。このカレンダ画像は取得した日付情報（現在日付の年月日）に対応するカレンダ（付加情報）を表すように画像素材情報から合成される。続くブロックＢ９５では、ネットワーク経由で祝日情報が取得できたかチェックくされる。ここで、祝日情報が取得できたことを検出した場合には、ブロックＢ９６でカレンダの土曜日、日曜日、及び祝日がこの祝日情報に基づいて平日に対して区別できる表示色に変更される。他方、ブロックＢ９１及びＢＢ９２で日付情報を取得できなかったことを検出した場合には、ブロックＢ９７が実行される。ブロックＢ９７では、カレンダ表示不可の通知を一時的に表示する。カレンダ画像合成処理は、このブロックＢ９６またはＢ９７の実行後、あるいはブロックＢ９５で祝日情報が取得できなかったことを検出した場合に終了する。但し、フォトフレーム表示は、例えばリモコン２５のチャネルキー５６が操作されない限り継続する。ここで、表示日付は時計回路３５に従って１日単位に更新される。
【手続補正３】
【補正対象書類名】明細書
【補正対象項目名】００５４
【補正方法】変更
【補正の内容】
【００５４】
図１６は図１２に示す天気予報画像合成処理を詳しく示す。この画像合成処理では、放送波経由で天気情報を取得できたかブロックＢ１０１でチェックされ、さらにネットワーク経由で天気情報を取得できたかブロックＢ１０２でチェックされる。ブロックＢ１０１またはＢ１０２のいずれかで天気情報（すなわち、付加情報の基礎データ）を取得できたことを検出した場合に、ブロックＢ１０３が実行される。このブロックＢ１０３では、付加情報設定処理で登録された指定位置、指定サイズ、指定透過度の設定情報を天気予報の画像素材情報と一緒にフラッシュメモリ２６から取得する。これに続くブロックＢ１０４では、フォトフレームに指定位置で重なる指定サイズ及び指定透過度の天気予報画像を合成して表示する。この天気予報画像は取得した天気情報に対応する天気予報（付加情報）を表すように画像素材情報から合成される。この場合、天気画像は晴れ、雨、曇り等の記号であってよい。他方、ブロックＢ１０１及びＢ１０２で天気情報を取得できなかったことを検出した場合には、ブロックＢ１３５が実行される。ブロックＢ１０５では、天気予報表示不可の通知を一時的に表示する。天気予報画像合成処理はこのブロックＢ１０４またはＢ１０５の実行後に終了する。但し、フォトフレーム表示は、例えばリモコン２５のチャネルキー５６が操作されない限り継続する。
【手続補正４】
【補正対象書類名】特許請求の範囲
【補正対象項目名】全文
【補正方法】変更
【補正の内容】
【特許請求の範囲】
【請求項１】
放送波を受信する放送波受信部と、
前記放送波を選局するチャネル操作部及び静止画像を選択する静止画像選択モード及び静止画像を表示する静止画像表示モードを設定する設定部を備える操作モジュールと、
少なくとも１つの静止画像及びこの静止画像とともに表示すべき、時計表示、カレンダ表示、天気表示及び占い表示の少なくとも１つの表示項目を含む付加情報を保持する不揮発性メモリと、
外部メモリを接続可能なコネクタ部と、
前記チャネル操作部で選局された前記放送波の映像信号を生成し、前記静止画像表示モードにおいて、前記不揮発性メモリから得られる静止画像或いはこの静止画像を含むプレビュー画面を表示する静止画像の映像信号を生成する信号処理部と、
前記静止画像選択モードの設定の際に、前記コネクタ部への前記外部メモリの接続を検知し、この外部メモリ内に静止画像が保存されていることを検知し、前記操作モジュールからの前記静止画像を選択する選択入力に応答して前記外部メモリから前記不揮発性メモリに選択された静止画像を転送し、また、前記静止画像表示モードにおいて、前記操作モジュールからの入力に応じて前記プレビュー画面に前記静止画像とともに表示すべき前記表示項目の少なくとも１つを設定し、この表示項目を付加した静止画像の映像信号を前記信号処理部で合成処理して生成させる表示設定部であって、
前記信号処理部における前記画像合成処理の際に前記表示項目の基礎データを前記放送波から取得させ、この基礎データを前記放送波から取得できない場合には、インターネットを介して取得させて基礎データを前記表示項目に表示させ、
前記静止画像表示モードにおける前記チャネル操作部の選局に応答して前記静止画像の表示を前記放送波の映像信号による表示に切り替える表示設定部と、
を具備することを特徴とする表示システム。
【請求項２】
前記設定画像は、前記表示項目の表示位置、サイズ及び透過度を指定する表示設定画像を含み、この画面表示設定画像を参照する操作モジュールの入力に応じて前記表示項目が前記静止画像中に表示されることを特徴とする請求項１に記載の表示システム。
【請求項３】
前記不揮発性メモリは、デフォルトの静止画像を保持し、前記信号処理部は、このデフォルトの静止画像を含むプレビュー画面を表示する為の映像信号を生成することを特徴とする請求項１の表示システム。
【請求項４】
前記設定画像は、前記表示項目の非表示を指定する表示設定画像を含み、この画面表示設定画像を参照する操作モジュールの入力に応じて前記表示項目が前記静止画像中に非表示とされることを特徴とする請求項１に記載の表示システム。
【請求項５】
前記信号処理部は、放送信号から映像信号を生成し、前記操作モジュールは、前記映像信号に含まれるシーンにおける静止画像の獲得を指示する指示部を備え、前記静止画像選択部は、この指示部からの前記シーン静止画像の獲得に応答して前記獲得したシーン静止画像を前記不揮発性メモリに転送することを特徴とする請求項１の表示システム。
【請求項６】
静止画像を選択する静止画像選択モードの設定に応答してコネクタ部への外部メモリの接続を検知し、この外部メモリ内に静止画像が保存されていることを検知し、静止画像を選択する選択入力に応答して前記外部メモリから前記不揮発性メモリに選択された静止画像を転送し、
静止画像を表示する静止画像表示モードにおいて、少なくとも１つの静止画像及びこの静止画像とともに表示すべき、時計表示、カレンダ表示、天気表示及び占い表示の少なくとも１つの表示項目を含む付加情報を保持する不揮発性メモリから得られる静止画像を含むプレビュー画面を表示する為の映像信号を生成し、
外部入力に応じて前記プレビュー画面に前記静止画像とともに表示すべき、前記表示項目の少なくとも１つの設定画像を付加して前記表示項目を設定し、
前記静止画像表示モードにおいて、前記静止画像上に前記表示項目を付加した静止画像の映像信号を合成処理して生成し及び選局した放送波の映像信号を生成して表示する表示方法において、
前記画像合成処理の際に前記表示項目の基礎データを放送波から取得させ、この基礎データを前記放送波から取得できない場合には、インターネットを介して取得させて基礎データを前記表示項目に表示させ、
前記静止画像表示モードにおける放送波を選局するチャネル操作に応答して前記静止画像の表示を前記放送波の映像信号による表示に切り替えさせることを特徴とする表示方法。